(57)【要約】【課題】二層の液晶層を有する液晶パネルとフレキシブル回路基板との接合部の剥がれを低減し、また、低背化を実現した液晶光学装置を提供すること。【解決手段】２層の液晶層を３枚の透明基板間に挟持して積層配置して、その３枚の透明基板の内の中基板を、２枚の外基板に対して突出させるとともに、中基板の表裏両面に配線パターンを配して、３辺が外径辺となる様に矩形形状の実装領域が形成された液晶パネルと、配線パターンに接続し、２層の液晶層に外部信号の入力を可能とするフレキシブル回路基板とを備え、このフレキシブル回路基板が、実装領域に外部信号が入力されるとともに、外部信号の入力と同一面に配した一方の液晶層に駆動信号が入力され、かつ外部信号が入力された矩形形状における辺とは異なる辺から他方の液晶層へ駆動信号を入力される様に構成する。【選択図】  図１
2007065152.tif 000002
【特許請求の範囲】
【請求項１】
第１の液晶層を第１の透明基板と第２の透明基板とで挟持し、前記第２の透明基板に対して前記第１の液晶層とは反対側の面に配した第２の液晶層を前記第２の透明基板と第３の透明基板とで挟持して、前記第２の透明基板を前記第１、第３の透明基板に対して突出させるとともに、前記第２の透明基板の表裏両面に配線パターンを配して、３辺が外径辺となる様に矩形形状の実装領域が形成された液晶パネルと、
前記配線パターンに接続し、前記第１、第２の液晶層に外部信号の入力を可能とするフレキシブル回路基板と、を備え、
前記フレキシブル回路基板は、前記実装領域に前記外部信号が入力されるとともに、前記外部信号の入力と同一面に配した前記第１、第２の液晶層の内の一方の液晶層に駆動信号が入力され、かつ前記外部信号が入力された矩形形状における辺とは異なる辺から他方の液晶層へ駆動信号が入力される様に構成されている、
ことを特徴とする液晶光学装置。
【請求項２】
前記フレキシブル回路基板の形状はＴ字形状であり、
前記外部信号の入力は一辺であり、
前記他方の液晶層への駆動信号の入力は、他の２辺により行う、
ことを特徴とする請求項１に記載の液晶光学装置。
【請求項３】
前記フレキシブル回路基板の形状はＬ字形状であり、
前記外部信号の入力は一辺であり、
前記他方の液晶層への駆動信号の入力は、他の一辺により行う、
ことを特徴とする請求項１に記載の液晶光学装置。
【発明の詳細な説明】
【技術分野】
【０００１】
本発明は、二層の液晶層を有する液晶パネルにフレキシブル回路基板を実装した液晶光学装置に関する。
【背景技術】
【０００２】
３枚の透明基板間に二層の液晶層を挟持して積層配置することで形成される液晶パネルにおいて、それぞれの液晶層で異なる表示を行うためのフレキシブル回路基板を用いた実装構造（液晶光学装置）が提案されている（例えば特許文献１参照。）。
【０００３】
以下、従来の液晶光学装置を構成する液晶パネルの構造を図面に基づいて説明する。図１２は従来の液晶パネル１００を示す断面図を示しており、図１３はその斜視図を示している。
【０００４】
図１２において、液晶パネル１００は、３枚の透明基板１、２、３間に二層の液晶層４、５をそれぞれ挟持して積層配置し、その液晶層４、５の外周をシール剤８Ａ〜８Ｄを用いて透明基板１〜３を所定の間隙を持って接着固定する。その３枚の透明基板１〜３の内の透明基板２（以下、中基板２とする）を、２枚の透明基板１、３（以下、外基板１、３とする。）に対して突出させる。なお、この中基板２の表面に配線パターン６を、また中基板２の裏面に配線パターン７が形成されており、図１３に示すように、この液晶パネル１００には、中基板２の３辺９、１０、１１が外径辺となる様に矩形形状の実装領域１２が形成されている。そして、この実装領域１２で露出する配線パターン６、７を介して、液晶層４、５に電圧を印加して、液晶の位相変調ができる様になっている。
【０００５】
次に、前述した液晶パネル１００における実装領域１２で露出する配線パターン６、７に接続をするフレキシブル回路基板１０１の構成について説明する。図１４(ａ)はフレキシブル回路基板の上部平面図を示しており、図１４(ｂ)はその断面図を示している。
【０００６】
このフレキシブル回路基板１０１は、図１４(ａ)(ｂ)に示すように、２枚の第１のフレキシブル回路基板１３と第２のフレキシブル回路基板１４とを絶縁層１７Ｂを介して積層固着されて形成されて、第１導電層１５と第２の導電層１６とがともに同じ面で露出するように構成されている。また、第１導電層１５よりも第２導電層１６、およびこれを保持する絶縁層１７Ｂが階段状に露出するように突出延長させる。ここでは、第２のフレキシブル回路基板１４がフレキシブル回路基板１３よりも突出するように構成されている。なお、第２導電層１６が露出している端面側である、第１導電層の表面の一部を露出させるように、絶縁層１７Ａが形成されている。
【０００７】
次に、先に示した液晶パネル１００とフレキシブル回路基板１０１とを実装接続した液晶光学装置１１０の構成について説明する。図１５は従来の液晶光学装置の斜視図を示しており。図１６はその断面図を示している。
【０００８】
図１５、図１６に示すように、フレキシブル回路基板１０１の一端部にある第２導電層１６と、液晶パネル１００の実装領域１２で露出する配線パターン６とがそれぞれ互いに対接接続される。このとき、第２導電層１６の延長方向が配線パターン６の延長方向と平行となり、かつ第２導電層１６の端が配線パターン６の端縁側となる。
【０００９】
また、第２のフレキシブル回路基板１４は、第１のフレキシブル回路基板１３よりも突出され、その突出部が図１５に示すように中基板２の外形辺１０をめぐって折り返され、
図１６に示すように、中基板２の裏面側に設けられた配線パターン７に対して第１導電層１５の端部を平行させて対接接続する。
【００１０】
これより、このフレキシブル回路基板１０１は、液晶パネル１００における２層の液晶層４、５に独立した外部信号の入力を可能となる。上記対接接続には、図１６に示すように異方性導電部材１８Ａ、１８Ｂが用いられて電気的に接続される。
【００１１】
【特許文献１】特開昭６０−１１２２２１号公報（第２−７頁、第１−７図）
【発明の開示】
【発明が解決しようとする課題】
【００１２】
しかしながら、特許文献１に記載の液晶光学装置１１０は、図１６に示すように、配線パターン７に接合している第２のフレキシブル回路基板１３の接合部の剥がれが発生しやすい問題点がある。これは、中基板２の裏面側に設けた配線パターン７に対して、接続する第２のフレキシブル回路基板１３の接合部が、外部回路との接合のために延長されたフレキシブル回路基板１０１によって負荷を受けるために発生するものである。
【００１３】
また、特許文献１に記載の液晶光学装置１１０は、中基板２の裏面側に設けた配線パターン７に接続するフレキシブル回路基板１０１の接合部に対して、外部回路との接合のために延長されたフレキシブル回路基板１０１は、紙面に対して下方向に延在させる必要があるため（図１５および図１６参照）、装置自体の高さが高くなってしまう。
【００１４】
そこで、本発明の目的は上記課題を解決し、二層の液晶層を有する液晶パネルとフレキシブル回路基板との接合部の剥がれを低減し、また、低背化を実現した液晶光学装置を提供することである。
【課題を解決するための手段】
【００１５】
上記課題を解決するために、本発明の液晶光学装置は、基本的に下記記載の構成を採用するものである。
【００１６】
本発明の液晶光学装置は、第１の液晶層を第１の透明基板と第２の透明基板とで挟持し、第２の透明基板に対して第１の液晶層とは反対側の面に配した第２の液晶層を第２の透明基板と第３の透明基板とで挟持し、第２の透明基板を第１、第３の透明基板に対して突出させるとともに、第２の透明基板の表裏両面に配線パターンを配して、３辺が外径辺となる様に矩形形状の実装領域が形成された液晶パネルと、配線パターンに接続し、第１、第２の液晶層に外部信号の入力を可能とするフレキシブル回路基板とを備え、このフレキシブル回路基板が、実装領域に外部信号が入力されるとともに、外部信号の入力と同一面に配した第１、第２の液晶層の内の一方の液晶層に駆動信号が入力され、かつ外部信号が入力された矩形形状における辺とは異なる辺から他方の液晶層へ駆動信号が入力される様に構成されていることを特徴とするものである。
【００１７】
また、本発明の液晶光学装置は、前述したフレキシブル回路基板の形状がＴ字形状であり、外部信号の入力は一辺であり、他方の液晶層への駆動信号の入力が、他の２辺により行うことを特徴とするものである。
【００１８】
また、本発明の液晶光学装置は、前述したフレキシブル回路基板の形状がＬ字形状であり、外部信号の入力は一辺であり、他方の液晶層への駆動信号の入力が、他の一辺により行うことを特徴とするものである。
【発明の効果】
【００１９】
本発明によれば、第一液晶層および第二液晶層の駆動をそれぞれ独立に行うことが出来、且つ、第二液晶層の導通層とフレキシブル回路基板との接合部の剥がれを低減することが出来る。
【００２０】
また、本発明の液晶光学装置によれば、装置の薄型化を実現することが出来るようになり、低背化が望める。
【発明を実施するための最良の形態】
【００２１】
本発明の液晶光学装置の構成例について図面を用いて説明をする。
なお、以下の説明では、従来例で示した構成要件と同じ部材については、同じ符号を付けて説明をする。また、図面に記載の構成は、説明を容易にするために実際の寸法とは異なる大きさとなっていることに留意されたい。
【実施例１】
【００２２】
まず、本発明の液晶光学装置の構成例について詳細に説明をする。
図１は、本発明の液晶光学装置の構成例を示す斜視図を示しており、図２はその断面図を示している。
【００２３】
図１および図２に示すように、本発明の液晶光学装置２１０は、液晶パネル２００の実装領域にフレキシブル回路基板２０１が実装接続された形態となっており、その液晶パネル２００は、２層の液晶層４、５を中基板２と外基板１、３間に挟持して積層配置して、中基板２を２枚の外基板１、３に対して突出させるとともに、中基板２の表裏両面に配線パターン６、７を配して、３辺が外径辺となる様に矩形形状の実装領域を有する構成となっている。
【００２４】
また、フレキシブル回路基板２０１は、液晶パネル２００の中基板２の表裏両面に形成された配線パターン６、７に接続し、２層の液晶層４、５に外部信号の入力を可能とする様に構成され、さらに、前述した液晶パネル２００の実装領域に、外部信号が入力されるとともに、外部信号の入力と同一面に配した一方の液晶層に駆動信号が入力され、かつ外部信号が入力された矩形形状における辺とは異なる辺から他方の液晶層へ駆動信号を入力される様に構成されている。なお、本図面においては、上記「一方の液晶層」が液晶層４に相当し、「他方の液晶層」が液晶層５に相当する。
【００２５】
次に、液晶パネル２００の構成について詳細に説明をする。図３は、本発明の液晶光学装置を構成する液晶パネルの断面図を示しており、図４はその斜視図を示している。
【００２６】
図３に示すように、液晶パネル２００は、従来例で示したと同様に、３枚の透明基板１、２、３間に二層の液晶層４、５を挟持して積層配置され、シール剤８Ａ〜８Ｄを用いてこの液晶層４、５の外周部を覆うとともに所定の間隙を持って基板を接着固定されている。そして、このパネルは、中基板２を２枚の外基板１、３に対して突出させるように構成されて、中基板２の表面に配線パターン６が、また中基板２の裏面に配線パターン７が配設されている。
【００２７】
また、図４に示すように中基板２の突出部であり、配線パターン６、７が表面に露出する領域で、３辺９、１０、１１が外径辺となる様に矩形形状の実装領域１２が形成されている。
【００２８】
次に、本発明のＴ字形状を有するフレキシブル回路基板２０１の構成について説明をする。図５は、２層の液晶層に外部信号の入力を可能とするためのＴ字形状フレキシブル回路基板の構成を説明するための上部平面図である。
【００２９】
このＴ字形状のフレキシブル回路基板２０１は、従来例で示した構成とは異なり、導電層が一層で構成されており、同一平面状に液晶層４を駆動するための第１導通層１５Ａ〜１５Ｅ、および液晶層５を駆動するための第２導通層１６Ａ〜１６Ｄがそれぞれ形成されている。
【００３０】
次に、フレキシブル回路基板２０１と液晶パネル２００を実装接続して形成する液晶光学装置２１０の構造について説明をする。図６は、本発明の液晶光学装置における液晶パネルとフレキシブル回路基板との実装形態を示す図面であり、図７はその下部平面図を示している。
【００３１】
図６に示すように、Ｔ字形状のフレキシブル回路基板２０１の一端部に形成された第１導電層１５Ａ〜１５Ｅと、中基板２表面に形成された配線パターン６Ａ〜６Ｅとが、それぞれ互いに対接接続される。このとき、第１導電層１５Ａ〜１５Ｅの延長方向が配線パターン６Ａ〜６Ｅの延長方向と平行とされ、かつ第１導電層１５Ａ〜１５Ｅの端が配線パターン６Ａ〜６Ｅ端縁側とされる。
【００３２】
そして、第２導通層１６Ａ、１６Ｂは、配線パターン７Ａ、７Ｂと接続するため、図７に示すように、中基板２の外形辺９をめぐって折り曲げられ、また第２導通層１６Ｃ、１６Ｄは配線パターン７Ｃ、７Ｄ接続するため、中基板２の外形辺１１をめぐって折り曲げられる。これより、配線パターン７Ａ〜７Ｄに対して第２導電層１６Ａ〜１６Ｄの端部を対接接続する。上記対接接続には、従来例で示したと同様に異方性導電部材１８Ａ、１８Ｂを用いて接続される（図２参照）。また、外部回路と接続のため、フレキシブル回路基板２０１を中基板２に対して平行に延長する。
【００３３】
この実施例１の液晶光学装置２１０の構成とすることで、従来の構成で問題であった、フレキシブル回路基板２０１と液晶パネル２００における実装領域１２での電気的接合部の剥がれを抑えることが出来、また、外基板１、３に対する垂直方向の高さを従来の構成に比べて低減し、低背化を実現することが出来るようになる。
【実施例２】
【００３４】
次に、本発明の液晶光学装置３１０における他の構成例について説明をする。
図８は、本発明の液晶光学装置の他の構成例を示す斜視図である。図９は、本実施例で用いるフレキシブル回路基板の構成を示す上部平面図である。
なお、本実施例における液晶光学装置は、先に示した実施例１の形態と、フレキシブル回路基板の形状および液晶パネルとの実装形態が異なっており、液晶パネルを含む他の構成要件は同一であるので、液晶パネルに関するここでの詳細な説明は割愛する。
【００３５】
まず、本実施例における液晶光学装置３１０の構成例について説明をする。
図８に示す様に、本実施例における液晶光学装置３１０は、液晶パネル３００の中基板２の突出面であり、ここでは図示しない配線パターン６、７に電気的に接続し、液晶パネル３００を構成する２層の液晶層４、５に外部信号の入力を可能とするＬ字形状のフレキシブル回路基板３０１を実装接続した構成となっている。
【００３６】
また、このフレキシブル回路基板３０１は、図９に示すように、実施例１と同様に液晶パネル３００に信号を入出力するための導電層が一層となった形態となっており、同一平面状に液晶層４を独立に駆動させるための、第１導通層１５Ａ〜１５Ｅと、液晶層５を制御するための第２導通層１６Ａ〜１６Ｄとがそれぞれ形成されている。そして、図に示すように、フレキシブル回路基板３０１の形状がＬ字形状となっており、第２導電層１６Ａ〜１６Ｄが一方向に延出するように形成されている。
【００３７】
次に、本実施例におけるＬ字形状のフレキシブル回路基板３０１と液晶パネル３００とを実装接続形態について説明をする。図１０は、本発明の液晶光学装置におけるフレキシブル回路基板３０１と液晶パネル３００との実装形態を示す上部平面図であり、図１１はその下部平面図である。
【００３８】
図１０に示すように、Ｌ字形状のフレキシブル回路基板３０１の一端部にある導電層１５Ａ〜１５Ｅと中基板２表面に形成された配線パターン６Ａ〜６Ｅとがそれぞれ互いに対接接続される。第１導電層１５Ａ〜１５Ｅの延長方向が配線パターン６Ａ〜６Ｅの延長方向と平行とされ、かつ第１導電層１５Ａ〜１５Ｅの端が配線パターン６Ａ〜６Ｅ端縁側とされる。
【００３９】
また、第２導通層１６Ａ〜１６Ｄは、配線パターン７Ａ〜７Ｄと接続するため、図１１に示すように、中基板２の外形辺９をめぐって折り曲げられる。これより、配線パターン７Ａ〜７Ｄに対して第２導電層１６Ａ〜１６Ｄの端部を対接接続する。上記対接接続には、従来例で示したと同様に異方性導電部材１８Ａ、１８Ｂを用いて接続をする（図２参照）。
【００４０】
また、外部回路と接続のため、フレキシブル回路基板３０１を中基板２に対して平行に延長する。
【００４１】
この実施例２の実装構造（液晶光学装置）とすることで、従来の構成で問題であった、接合部の剥がれを抑えることが出来、且つ、接合部の外基板１、３に対する垂直方向の高さを従来の構成に比べ低減し、低背化を実現することが出来るようになる。
【図面の簡単な説明】
【００４２】
【図１】本発明の液晶光学装置の構成例を示す斜視図である。（実施例１）
【図２】本発明の液晶光学装置の構成例を示す断面図である。（実施例１）
【図３】本発明の液晶光学装置における液晶パネルの構成例を示す断面図である。（実施例１）
【図４】本発明の液晶光学装置における液晶パネルの構成例を示す斜視図である。（実施例１）
【図５】本発明の液晶光学装置におけるフレキシブル回路基板の上部平面図である。（実施例１）
【図６】本発明の液晶光学装置の液晶パネルとフレキシブル回路基板との実装形態を示す上部平面図である。（実施例１）
【図７】本発明の液晶光学装置の液晶パネルとフレキシブル回路基板との実装形態を示す下部平面図である。（実施例１）
【図８】本発明の液晶光学装置の他の構成例を示す斜視図である。（実施例２）
【図９】本発明の液晶光学装置におけるフレキシブル回路基板の他の構成例を示す上部平面図である。（実施例２）
【図１０】本発明の液晶光学装置の液晶パネルとフレキシブル回路基板との実装形態を示す上部平面図である。（実施例２）
【図１１】本発明の液晶光学装置の液晶パネルとフレキシブル回路基板との実装形態を示す下部平面図である。（実施例２）
【図１２】従来の液晶光学装置における液晶パネルの構成を示す断面図である。
【図１３】従来の液晶光学装置における液晶パネルの構成を示す斜視図である。
【図１４】従来の液晶光学装置におけるフレキシブル回路基板の平面図、および断面図である。
【図１５】従来の液晶光学装置の構成を示す斜視図である。
【図１６】従来の液晶光学装置の構成を示す断面図である。
【符号の説明】
【００４３】
１、２、３  透明基板
４、５  液晶層
６、６Ａ〜６Ｅ、７、７Ａ〜７Ｅ  配線パターン
８Ａ〜８Ｄ  シール剤
９、１０、１１  外形辺
１２  実装領域
１５  第１導電層
１６  第２導電層
１８Ａ、１８Ｂ  異方性導電材料
２００、３００  液晶パネル
２０１、３０１  フレキシブル回路基板
２１０、３１０  液晶光学装置
【図１】
2007065152.tif 000003
【図２】
2007065152.tif 000004
【図３】
2007065152.tif 000005
【図４】
2007065152.tif 000006
【図５】
2007065152.tif 000007
【図６】
2007065152.tif 000008
【図７】
2007065152.tif 000009
【図８】
2007065152.tif 000010
【図９】
2007065152.tif 000011
【図１０】
2007065152.tif 000012
【図１１】
2007065152.tif 000013
【図１２】
2007065152.tif 000014
【図１３】
2007065152.tif 000015
【図１４】
2007065152.tif 000016
【図１５】
2007065152.tif 000017
【図１６】
2007065152.tif 000018